(57)【要約】      （修正有）【課題】実際に商品を装着したイメージに極めて近い装着イメージを確認することができる商品試着シート（商品見本）を提供する。【解決手段】透明な合成樹脂板若しくはシート２０、３０に、中央に透明な透過部２２を設けた円形のカラーコンタクトレンズ見本２１を印刷したものである。カラーコンタクトレンズ見本２１の直径は、当該見本に対応する実際のカラーコンタクトレンズの直径よりも小さく形成されるとともに、前記透明な合成樹脂板の裏面に印刷されている。【選択図】図３
2014197088.tif 000002
【特許請求の範囲】
【請求項１】
透明な合成樹脂板若しくはシートに、中央に透明な透過部を設けた円形のカラーコンタクトレンズ見本を印刷したことを特徴とするカラーコンタクトレンズの商品見本。
【請求項２】
中央に透明な透過部を設けた円形のカラーコンタクトレンズ見本を板状体若しくはシートに印刷したカラーコンタクトレンズの商品見本であって、
少なくとも前記カラーコンタクトレンズ見本の外周部を透明に形成したことを特徴とする商品見本。
【請求項３】
前記カラーコンタクトレンズ見本の直径は、当該見本に対応する実際のカラーコンタクトレンズの直径よりも小さく形成されていることを特徴とする請求項１または請求項２記載のカラーコンタクトレンズの商品見本。
【請求項４】
前記カラーコンタクトレンズ見本は、前記透明な合成樹脂板の裏面に印刷されていることを特徴とする請求項３記載のカラーコンタクトレンズの商品見本。
【発明の詳細な説明】
【技術分野】
【０００１】
本発明は、商品見本に関するものであり、特にカラーコンタクトレンズ用の商品見本に関するものである。
【背景技術】
【０００２】
従来より、眼球に装着して色が変わったように見せるカラーコンタクトレンズが知られている。カラーコンタクトレンズは、視力を矯正するものではなく、眼球表面に装着することで専ら瞳孔周囲を任意の色若しくは模様（以下単に「色」という）に見せかけるものである。
このカラーコンタクトレンズを販売する場合、色等が異なる複数の商品を予め用意しておき、好みに応じて使用者が選択できるようにするのが一般的である。しかしながら、購入しようとする商品を装着した場合に自信の表情がどのように見えるのかは装着してみなければわからないものであるが、カラーコンタクトレンズは眼球に直接装着するものであるから購入前に試着することができないものである。
【０００３】
一方、商品を購入する前に身体に装着したイメージを確認できる商品見本として特許文献１記載の商品試着シートがある。当該商品試着シートは、透明なシート上に身体に身につける眼鏡や時計などの絵柄を印刷したものであり、商品を装着する部位にあてがうことによって、装着のイメージを確認することができるものである。
【特許文献１】実用新案登録第３１４６０６７号公報
【発明の開示】
【発明が解決しようとする課題】
【０００４】
しかしながら、上記特許文献１に記載されている商品試着シートは、比較的大きいものであって身体に装着した様子をある程度の距離をおいて眺めるように見るものであり、想定される装着部位も厳密ではない。
これに対してカラーコンタクトレンズ用の商品試着シートを形成した場合、カラーコンタクトレンズは前記眼鏡や時計と比較して小さく、装着する部位も眼球の表面に限定される。このため、装着する眼球に近接させた状態でなければ、装着したイメージを確認することができない。また、カラーコンタクトレンズは、商品を選択する上で他人から見える目の表情が重要な要素であるから、商品試着シートを用いた装着イメージを確認する場合であっても実際の商品を装着した時のイメージに近似していなくてはならない。
本願発明は、当該事項に鑑み発明したものであって、実際に商品を装着したイメージに極めて近い装着イメージを確認することができる商品試着シート（商品見本）を提供することを課題とするものである。
【課題を解決するための手段】
【０００５】
上記課題を解決するために、本願発明は以下の構成を有する。すなわち、カラーコンタクトレンズの商品見本であって、透明な合成樹脂板若しくはシートに、中央に透明な透過部を設けた円形のカラーコンタクトレンズ見本を印刷したことを特徴とする。
【０００６】
また、本願発明は以下の構成を有する。すなわち、中央に透明な透過部を設けた円形のカラーコンタクトレンズ見本を板状体若しくはシートに印刷したカラーコンタクトレンズの商品見本であって、少なくとも前記カラーコンタクトレンズ見本の外周部を透明に形成したことを特徴とする。
【０００７】
また、本願発明は、上記の発明において以下の構成を有する。すなわち、
前記カラーコンタクトレンズ見本の直径は、当該見本に対応する実際のカラーコンタクトレンズの直径よりも小さく形成されていることを特徴とする。
【０００８】
また、本願発明は、上記の発明において以下の構成を有する。すなわち、
前記カラーコンタクトレンズ見本は、前記透明な合成樹脂板の裏面に印刷されていることを特徴とする。
【発明の効果】
【０００９】
本願発明は、透明な合成樹脂板に、中央に透明部を設けた円形のカラーコンタクトレンズ見本を印刷したことを特徴とするカラーコンタクトレンズの商品見本である。カラーコンタクトレンズを店頭で購入しようとする場合、実際の商品を自身の眼球に装着することはできない。一度装着したものは、衛生上の点から他人に装着させることはできないからである。本発明は、カラーコンタクトレンズ見本を印刷した透明な合成樹脂板であるので、眼前にかざして自身の顔を鏡で見ることにより、実際のカラーコンタクトレンズを眼球に装着した時と同様のイメージを確認することができるものである。また、中央の透明部は瞳に対応する部分であり、視軸を一致させることで商品見本をかざした眼によっても装着イメージを確認することができるようになっている。
【００１０】
また、本願発明は、中央に無着色部を設けた円形のカラーコンタクトレンズ見本を印刷したカラーコンタクトレンズの商品見本であって、少なくとも前記カラーコンタクトレンズ見本の外周部を透明に形成したことを特徴とするものである。
カラーコンタクトレンズ見本の外周部分が透明であれば、鏡で反射したカラーコンタクトレンズ見本と当該見本の外周部にある自身のまつげや眉などとともに見ることができる。また、カラーコンタクトレンズ見本の近傍を除いた部分には、商品名、商品の色、入り数、使用条件等の商品情報や購買者の注意をひくような描画等を印刷することができるものである。
【００１１】
また、本願発明に係るカラーコンタクトレンズ見本の直径を、対応する実際のカラーコンタクトレンズの直径よりも僅かに小さく形成することができる。カラーコンタクトレンズ見本は、眼球自体に取り付けるものではなく眼前にかざすものである。このため、眼前にかざしたカラーコンタクトレンズ見本は、眼球よりも鏡に近い位置（焦点に近い位置）に配置されることになり、眼球表面上に配置した場合と比較して大きく見えてしまう。すなわち、実際の商品と見本を同じ大きさにしておくと、商品を実際に眼球に装着した場合と装着イメージが異なってしまい商品見本としての機能を十分に発揮しえなくなる。
本願発明では、このような商品と見本との間で生じる見え方の相違を補正することで、商品見本としての機能を十分に発揮できるという効果を有している。
【００１２】
また、本願発明では前記カラーコンタクトレンズ見本を前記透明な合成樹脂板の裏面に印刷している。裏面とは透明な合成樹脂板を眼前にかざした場合に、眼球に近い側の側面である。すなわち、眼球に近い側の側面にカラーコンタクトレンズ見本を印刷することによって、当該カラーコンタクトレンズ見本を合成樹脂板の肉厚に影響されない眼球に近い位置に配置することができるという効果を有している。
【発明を実施するための最良の形態】
【００１３】
図１は、本実施の形態に係る商品見本シート（以下「イメージシート」、「シート」という）１の外観写真を表している。当該シート１は、矩形、円形等に形成された外形を有するアクリル樹脂製の透明板２若しくはシートによって形成されており、当該透明板２若しくはシートに種々の印刷や加工を行ったものである。図１に示した写真は透明板２を表面側から見たものであり、商品情報等を含む文字や絵柄等の各種情報は、表面側から見た場合に情報として知覚できる向きで印刷されている。本実施の形態に係る透明板２は、一例として横幅７０cm、高さ８５cmの矩形状に形成されている。
【００１４】
透明板２の一端（上端）側中央には、円形の孔３が設けられている。当該孔３は、当該透明板２を吊り下げ展示する際に使用するものであり、後述する什器に設けたフックに掛けることができるようになっている。
前記孔３を含む透明板２の中央付近から上端部までの領域は、商品案内部４であって商品名、商品の色、入り数、使用条件等の商品情報や購買者の注意をひくような描画等が印刷される領域である。本実施の形態では、商品案内部４には背景色として薄く透明な単一色が塗布されており、次に説明する商品見本部５の透明な背景６とを区別している。
【００１５】
商品見本部５は、透明板２の商品案内部４との境界である中央付近から下端縁までの矩形の領域として形成されている。商品見本部５は、商品見本であるカラーコンタクトレンズ見本（以下「見本」という）７が印刷されるとともに、当該見本７を除く部位は背景色として無色若しくは極めて薄い単一色によって透明に形成されている。
なお、透明板２は見本７以外の全ての部分が透明である必要はなく、見本７を中心とした一定の範囲が透明または半透明であればよく、前記商品案内部４のように注意事項や説明書きを掲載しても差し支えないものである。また、当然ながら見本７以外の全てが透明であっても差し支えが無い。
【００１６】
前記見本７は透明板２の裏面に印刷されており、表面側から透明板２の肉厚を透過して視認できるようになっている。当該見本７はコンタクトレンズの見本であって外形が円形の印刷部として形成されており、中央に透明な円形の透過部８を設けるとともに当該透過部８の外周に眼球の虹彩に相当する環状の色彩部９を印刷したものである。また、見本７として印刷される色彩は、実際に販売される商品の見本であるから、当該販売される商品と近似した色や虹彩模様となるように印刷されている。
【００１７】
商品見本部５として透明板２に印刷される見本７には、一例として直径が１４．０mmと１４．５mmの２種類のものが用意されている。
また、眼球に装着する実際の商品は、背面（眼球側）から入射する光によって色が現れることはなく、顔の正面側から受けた光を反射することによってその色彩を表すものである。
これに対して見本７は透明素材上に印刷されているものであり、使用する場合に見本７の後方に空間が生じるものであるから後方から入射した透過光によって発色する可能性がある。そして、このような透過光による発色が顕著になると、実際の商品との色彩の違いも顕著になる。このため、見本７の色彩部９は、シート１の表面から入射する光によって実際の商品に近い発色するように、背面からの透過光を遮断若しくは低減する色相の塗料（若しくはインク）によって印刷が行われている。この場合、同様の効果を発揮するように、色彩部９の裏面に遮光性の塗膜を積層してもよい。
【００１８】
また、前記見本７の直径をこれと対応する実際のコンタクトレンズよりもやや小さくなるように形成してもよい。これは以下の理由による。
見本７は購入者が自身の目の前方部に配置する部分であり、見本７を前面にかざした眼を含む両眼若しくは見本７をかざした眼を除く片眼によって、鏡を利用して眼に装着したイメージを確認するものである。また、見本７を前面にかざした側の眼によって装着イメージを確認するには、見本７の中央に設けた透過部８を介して鏡を見る。
しかし、見本７は、コンタクトレンズが装着される眼球表面そのものに配置できないものであるから、鏡の方向に向かって数mm〜１０cm離れた位置に配置されることになる。この際、鏡に近いものは大きく鏡から遠いものは小さく見えることになるので、見本７が商品であるカラーコンタクトレンズと同じ大きさで印刷されている場合、当該見本７は眼球よりも鏡に近い位置に配置されることになる。したがって、鏡を介して見本７を見た場合には商品を眼球に装着した状態よりも大きく見えることになり、イメージが異なってしまう。以上の理由により、見本７を実際の商品よりも僅かに小さく形成してもよいものである。
なお、どの程度の割合で縮小するかは、装着者の眼を基準とした視野角内において、商品と見本が同程度の大きさとなることを考慮して決定されることになる。
【００１９】
図２は見本７を展示する什器１０の外観図である。当該什器１０は正面に展示面となる傾斜平面１１を有する箱体として形成されており、店舗内に設置されている展示ケースや棚の上等に載置して使用するものである。傾斜平面１１には、仕様の異なるコンタクトレンズ（商品）に対応した見本７を掲載した丸形のシート１が複数枚配列できるようにフック１２が設けられている。
また、展示面には鏡１３が設けられており、眼前に重ねるように配置したシート１と自身の顔を見ることができるようになっている。
【００２０】
また、展示面となる傾斜平面１１は光を透過する素材によって形成されており、什器１０の内部に設けた光源によって、シート１の使用者の顔を照らすようになっている。傾斜平面１１から放射された光は、眼前にかざしたシート１とともに顧客の顔を照らすので、シート１に掲載された見本７と顧客の顔がよく見えるようになっている。
【００２１】
さらに他の実施例を説明する。図３（ａ）は商品見本シートの他の形態（シート２０）を表した正面図である。シート２０は、０．２ｍｍ〜０．５ｍｍ程度の薄肉の透明シートによって幅２０ｍｍ、全長４０〜６０ｍｍ程度の長さの長円状に形成されている。当該シート２０裏面の下端には、円形のカラーコンタクト見本２１が印刷されている。当該見本２１は、中央に透明な透過部２２が設けられ、当該孔２２の周囲に虹彩に相当する色彩部２３を設けたものである。なお、透過部２２はシート２０の表裏を貫通する孔であってもよい。また、シート２０の上部には、吊り下げ用の孔２４と品番や色等の商品情報２５が設けられている。
【００２２】
当該シート２０は、吊り下げ用の孔２４を設けた側を指でつまみ、他端に印刷した見本２１を眼球の前方にかざすものである。そして、当該シート２０は、見本２１を長円状の外形を有するシートの端部に設けており、かつ幅も見本２１の直径よりも僅か（５ｍｍ程度）に大きい程度なので、見本２１外周の余白部２６の幅が狭い。このため、シート２０をかざした状態を鏡で確認すると、見本２１以外のシート部分を目立たないようにすることができる。これにより、より実際の商品を装着した場合に近似したイメージを購入者に与えることができるようになっている。
なお、図示しての説明は省略するが、余白部２６をなくしても良い。そのように構成することによって、シート２０をかざした状態を鏡で確認すると、見本２１以外のシート部分を更に目立たないようにすることができる。
【００２３】
図３（ｂ）は商品見本シートの他の形態（シート３０）を表した正面図である。当該シート３０は、外形形状を除き前記シート２０と同一の構成であり、同一部分については同じ符号を伏している。すなわち、シート３０は、０．２ｍｍ〜０．５ｍｍ程度の薄肉の透明シートによって幅２０ｍｍ、全長４０ｍｍ程度のしずく型に形成されている。当該シート２０裏面の下端には、円形のカラーコンタクト見本２１が印刷されている。当該見本２１は、中央に透明な透過部２２が設けられ、当該孔２２の周囲に虹彩に相当する色彩部２３を設けたものである。なお、透過部２２はシート２０の表裏を貫通する孔であってもよい。また、シート２０の上部には、吊り下げ用の孔２４と品番や色等の商品情報２５が設けられている。
【００２４】
当該シート３０は、下端よりも幅を狭く形成した孔２４を設けた側を指でつまみ、他端に印刷した見本２１を眼球の前方にかざすものである。そして、シート２０をかざした状態を鏡で確認すると、見本２１以外のシート部分を前記シート２０よりも目立たないようにすることができる。これにより、より実際の商品を装着した場合に近似したイメージを購入者に与えることができるようになっている。
【００２５】
図４（ａ）は、前記シート２０若しくはシート３０を収容するポケット４０を設けたホルダー４１である。外観形状は特に限定されるものではないが、ホルダー４１は、横幅７０cm、高さ８５cmの矩形を成す透明なシートとして形成されている。素材としては、透明な塩化ビニールシートなどを用いることができ、ポケット４０はウェルダー加工によって、上辺を除くポケット片４２の周囲を基材となるシート表面に溶着することで形成されている。
当該ポケット４０には、図４（ｂ）に示すように前記シート２０若しくはシート３０を着脱可能に収容することができるようになっている。そして、シート２０若しくはシート３０を収容したまま、当該ホルダー４１を図１に示したシート１と同様にシート２０若しくはシート３０に印刷した見本２１を眼前にかざすことができるようになっている。
そして、より注意深くイメージを確認したい場合には、ホルダー４１からシート２０若しくはシート３０を取り出して眼前にかざすことができるようになっている。
【００２６】
なお、図示しての説明は省略するが、シート２０若しくはシート３０のような小シートを装着できる透明な眼鏡状のホルダーを形成してもよい。当該透明な眼鏡状のホルダーは耳掛けを設けて顔に装着するようにしたり、手で押さえる等によって眼前に保持するように形成する。そして、当該眼鏡状のホルダーに、シート２０若しくはシート３０を装着し、または入れ替えたりすることができるように形成する。このようなホルダーとシート２０若しくはシート３０を利用することによって、欲する色のカラーコンタクトレンズを探せるようにしてもよい。
【産業上の利用可能性】
【００２７】
本発明は、眼球に装着するカラーコンタクトレンズ販売用の見本シートに利用可能である。
【図面の簡単な説明】
【００２８】
【図１】本発明にかかるカラーコンタクトレンズ見本の外観図である。
【図２】本発明にかかるカラーコンタクトレンズ見本を陳列する什器の外観図である。
【図３】本発明の別の実施例にかかるカラーコンタクトレンズ見本の外観図である。
【図４】本発明の別の実施例にかかるカラーコンタクトレンズ見本の外観図である。
【符号の説明】
【００２９】
１  商品見本シート（イメージシート、シート）
２  透明板
３  孔
４  商品案内部
５  商品見本部
６  透明な背景
７  カラーコンタクトレンズ見本
８  透過部
９  色彩部
１０  什器
１１  傾斜平面
１２  フック
１３  鏡
【図１】
2014197088.tif 000003
【図２】
2014197088.tif 000004
【図３】
2014197088.tif 000005
【図４】
2014197088.tif 000006